【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
顔料色材を含む有色インクと、互いに屈折率の異なる複数種類の無色インクを用いて画像形成を行う画像形成装置であって、
入力された画像データの画素ごとに、前記有色インクの各色についての有色インクデータを取得する第１の取得手段と、
前記有色インクデータに対応する光沢度を取得する第２の取得手段と、
前記光沢度が所定の目標値よりも高い場合には、前記画素において、前記複数種類の無色インクのうち、より屈折率の低い無色インクを用い、前記光沢度が前記目標値以下である場合には、より屈折率の高い無色インクを用いて前記画像データが示す画像を形成する形成手段と
を有することを特徴とする画像形成装置。
【請求項２】
顔料色材を含む互いに屈折率の異なる複数色の有色インクと、無色透明の顔料材料を含む互いに屈折率の異なる複数種類の無色インクを用いて画像形成を行う画像形成装置であって、
入力されたカラー画像データの画素ごとに、色分解処理によって前記有色インクの各色についての有色インクデータを取得する色分解手段と、
前記画素ごとに、前記有色インクデータによって示される各色の階調レベルに応じて、前記有色インクの各色についての有色ドット配置を設定する有色ドット配置手段と、
前記画素ごとに、前記有色インクデータをインデックスとして無色ドット配置テーブルを参照することで、前記複数種類の無色インクのいずれか１つについての無色ドット配置を設定する無色ドット配置手段と、
前記画素ごとに、前記有色インクのそれぞれを前記有色ドット配置で記録し、前記複数種類の無色インクのうち前記無色ドット配置手段で設定された無色インクを前記無色ドット配置で記録することで記録媒体上にカラー画像を形成する画像形成手段と、を有し、
前記無色ドット配置テーブルには、
前記有色インクデータに対する前記有色ドット配置に応じて算出される鏡面光沢度が所定の目標値よりも高い場合には、最も屈折率の低い無色インクが最も屈折率の高い有色インクに重なるように前記無色ドット配置が設定され、
前記鏡面光沢度が前記目標値以下である場合には、最も屈折率の高い無色インクが最も屈折率の低い有色インクまたはいずれの有色インクのドットも配置されない記録媒体露呈部に重なるように前記無色ドット配置が設定されていることを特徴とする画像形成装置。
【請求項３】
前記無色ドット配置テーブルには、
前記有色インクデータに対する前記有色ドット配置に応じて算出される鏡面光沢度が前記目標値よりも高い場合には、該鏡面光沢度と該目標値との差分が所定の閾値以下となるまで、前記最も屈折率の低い無色インクが順次、前記有色インクの屈折率の高い順に重なっていくように、前記無色ドット配置が設定され、
前記有色インクデータに対する前記有色ドット配置に応じて算出される鏡面光沢度が前記目標値以下である場合には、該鏡面光沢度と該目標値との差分が所定の閾値以下となるまで、前記最も屈折率の高い無色インクが順次、前記有色インクおよび前記記録媒体露呈部の屈折率の低い順に重なっていくように、前記無色ドット配置が設定される
ことを特徴とする請求項２に記載の画像形成装置。
【請求項４】
前記無色ドット配置テーブルは、その各格子点ごとに、
該格子点の前記有色インクデータに対する前記有色ドット配置に応じて、該有色ドット配置が対応する単位領域内の最表面で各有色インクのドットが占める有色ドット面積率を算出し、
前記最表面に形成される各有色インクの屈折率と前記有色ドット面積率とを用いて、前記単位領域における鏡面光沢度を算出し、
前記鏡面光沢度が前記目標値よりも高い場合には、前記最も屈折率の低い無色インクのドットが前記単位領域内の最表面に占める無色ドット面積率を用いて算出される鏡面光沢度が前記目標値に近づくように、該無色ドット面積率を算出し、該無色ドット面積率に応じて、該単位領域内の無色ドット配置を決定し、
前記鏡面光沢度が前記目標値よりも低い場合には、前記最も屈折率の高い無色インクのドットが前記単位領域内の最表面に占める無色ドット面積率を用いて算出される鏡面光沢度が前記目標値に近づくように、該無色ドット面積率を算出し、該無色ドット面積率に応じて、該単位領域内の無色ドット配置を決定する
ことによって作成されていることを特徴とする請求項２または３に記載の画像形成装置。
【請求項５】
顔料色材を含む複数色の有色インクと、互いに浸透性の異なる複数種類の無色インクを用いて画像形成を行う画像形成装置であって、
入力されたカラー画像データの画素ごとに、色分解処理によって前記有色インクの各色についての有色インクデータを取得する色分解手段と、
前記画素ごとに、前記有色インクデータによって示される各色の階調レベルに応じて、前記有色インクの各色についての有色ドット配置を設定する有色ドット配置手段と、
前記画素ごとに、前記有色インクデータをインデックスとして無色ドット配置テーブルを参照することで、前記複数種類の無色インクのそれぞれについての無色ドット配置を設定する無色ドット配置手段と、
前記画素ごとに、前記有色インクのそれぞれを前記有色ドット配置で記録し、前記複数種類の無色インクのうち前記無色ドット配置手段で設定された無色インクを前記無色ドット配置で記録することで記録媒体上にカラー画像を形成する画像形成手段と、を有し、
前記無色ドット配置テーブルには、
前記有色インクデータに対する前記有色ドット配置に応じて記録媒体表面での有色インクドットの堆積量を算出し、該堆積量が所定の閾値よりも大きい部分には最も浸透性の高い無色インクが重なり、該堆積量が前記閾値以下である部分には最も浸透性の低い無色インクが重なるように、前記無色ドット配置が設定されていることを特徴とする画像形成装置。
【請求項６】
第１の取得手段、第２の取得手段、並びに、顔料色材を含む有色インクと、互いに屈折率の異なる複数種類の無色インクを用いて画像形成を行う形成手段を有する画像形成装置における画像形成方法であって、
前記第１の取得手段が、入力された画像データの画素ごとに、前記有色インクの各色についての有色インクデータを取得する第１の取得ステップと、
前記第２の取得手段が、前記有色インクデータに対応する光沢度を取得する第２の取得ステップと、
前記形成手段が、前記光沢度が所定の目標値よりも高い場合には、前記画素において、前記複数種類の無色インクのうち、より屈折率の低い無色インクを用い、前記光沢度が前記目標値以下である場合には、より屈折率の高い無色インクを用いて前記画像データが示す画像を形成する形成ステップと
を有することを特徴とする画像形成方法。
【請求項７】
色分解手段、有色ドット配置手段、無色ドット配置手段、および、顔料色材を含む互いに屈折率の異なる複数色の有色インクと、無色透明の顔料色材を含む互いに屈折率の異なる複数種類の無色インクを用いて画像形成を行う画像形成手段、を有する画像形成装置における画像形成方法であって、
前記色分解手段が、入力されたカラー画像データの画素ごとに、色分解処理によって前記有色インクの各色についての有色インクデータを取得する色分解ステップと、
前記有色ドット配置手段が、前記画素ごとに、前記有色インクデータによって示される各色の階調レベルに応じて、前記有色インクの各色についての有色ドット配置を設定する有色ドット配置ステップと、
前記無色ドット配置手段が、前記画素ごとに、前記有色インクデータをインデックスとして無色ドット配置テーブルを参照することで、前記複数種類の無色インクのいずれか１つについての無色ドット配置を設定する無色ドット配置ステップと、
前記画像形成手段が、前記画素ごとに、前記有色インクのそれぞれを前記有色ドット配置で記録し、前記複数種類の無色インクのうち前記無色ドット配置ステップにおいて設定された無色インクを前記無色ドット配置で記録することで記録媒体上にカラー画像を形成する画像形成ステップと、を有し、
前記無色ドット配置テーブルには、
前記有色インクデータに対する前記有色ドット配置に応じて算出される鏡面光沢度が所定の目標値よりも高い場合には、最も屈折率の低い無色インクが最も屈折率の高い有色インクに重なるように前記無色ドット配置が設定され、
前記鏡面光沢度が前記目標値以下である場合には、最も屈折率の高い無色インクが最も屈折率の低い有色インクまたはいずれの有色インクのドットも配置されない記録媒体露呈部に重なるように前記無色ドット配置が設定されていることを特徴とする画像形成方法。
【請求項８】
色分解手段、有色ドット配置手段、無色ドット配置手段、および、顔料色材を含む複数色の有色インクと、互いに浸透性の異なる複数種類の無色インクを用いて画像形成を行う画像形成手段、を有する画像形成装置における画像形成方法であって、
前記色分解手段が、入力されたカラー画像データの画素ごとに、色分解処理によって前記有色インクの各色についての有色インクデータを取得する色分解ステップと、
前記有色ドット配置手段が、前記画素ごとに、前記有色インクデータによって示される各色の階調レベルに応じて、前記有色インクの各色についての有色ドット配置を設定する有色ドット配置ステップと、
前記無色ドット配置手段が、前記画素ごとに、前記有色インクデータをインデックスとして無色ドット配置テーブルを参照することで、前記複数種類の無色インクのそれぞれについての無色ドット配置を設定する無色ドット配置ステップと、
前記画像形成手段が、前記画素ごとに、前記有色インクのそれぞれを前記有色ドット配置で記録し、前記複数種類の無色インクのうち前記無色ドット配置手段で設定された無色インクを前記無色ドット配置で記録することで記録媒体上にカラー画像を形成する画像形成ステップと、を有し、
前記無色ドット配置テーブルには、
前記有色インクデータに対する前記有色ドット配置に応じて記録媒体表面での有色インクドットの堆積量を算出し、該堆積量が所定の閾値よりも大きい部分には最も浸透性の高い無色インクが重なり、該堆積量が前記閾値以下である部分には最も浸透性の低い無色インクが重なるように、前記無色ドット配置が設定されていることを特徴とする画像形成方法。
【請求項９】
コンピュータ装置で実行されることにより、該コンピュータ装置を請求項１乃至５のいずれか１項に記載の画像形成装置の各手段として機能させるためのプログラム。
【手続補正２】
【補正対象書類名】明細書
【補正対象項目名】発明の名称
【補正方法】変更
【補正の内容】
【発明の名称】画像形成装置及び画像形成方法
【手続補正３】
【補正対象書類名】明細書
【補正対象項目名】００１２
【補正方法】変更
【補正の内容】
【００１２】
顔料色材を含む有色インクと、互いに屈折率の異なる複数種類の無色インクを用いて画像形成を行う画像形成装置であって、
入力された画像データの画素ごとに、前記有色インクの各色についての有色インクデータを取得する第１の取得手段と、
前記有色インクデータに対応する光沢度を取得する第２の取得手段と、
前記光沢度が所定の目標値よりも高い場合には、前記画素において、前記複数種類の無色インクのうち、より屈折率の低い無色インクを用い、前記光沢度が前記目標値以下である場合には、より屈折率の高い無色インクを用いて前記画像データが示す画像を形成する形成手段とを有することを特徴とする。